(57)【要約】【課題】化粧の付着を防止しつつ、着用感を向上することができるマスクを提供する。【解決手段】マスク１は、マスク本体部２と耳掛け部３とを備えており、マスク本体部２は着用者の顔面に接触する層である内側層５を含む３層構造となっている。そして、内側層５を、内側面５ａが撥水・撥油加工剤により撥水・撥油処理された不織布であって、ＪＩＳ  Ｚ  ０２０８試験法に基づく透湿度を３５００ｇ／ｍ２／２４ｈｒ以上とした透湿性不織布によって構成する。【選択図】図３
2011072479.tif 000002
【特許請求の範囲】
【請求項１】
着用者の顔面の対象部位を覆うマスク本体部と、このマスク本体部を前記着用者の耳に係止するための左右一対の耳掛け部と、を備えるマスクであって、
前記マスク本体部は、
前記着用者の顔面に接触する層である内側層を含む複数層構造を有しており、
前記内側層は、
前記着用者の顔面に接触する側の表面が撥水・撥油加工剤により撥水・撥油処理された、ＪＩＳ  Ｚ  ０２０８試験法に基づく透湿度が３５００ｇ／ｍ２／２４ｈｒ以上である透湿性素材で構成されている
ことを特徴とするマスク。
【請求項２】
前記マスク本体部は、
前記内側層の前記着用者側とは反対となる側に、吸湿性素材を２０重量％以上含有する吸湿層を有している
ことを特徴とする請求項１記載のマスク。
【請求項３】
前記マスク本体部は、
前記着用者側とは反対となる最も外側に位置する層である外側層を有しており、
前記外側層は、
ＪＩＳ  Ｚ  ０２０８試験法に基づく透湿度が３５００ｇ／ｍ２／２４ｈｒ以上である透湿性素材で構成されている
ことを特徴とする請求項１または２記載のマスク。
【請求項４】
前記マスク本体部は、
前記吸湿層の前記着用者側とは反対となる側に、フィルタ機能を有するフィルタ層を有している
ことを特徴とする請求項２または３記載のマスク。
【発明の詳細な説明】
【技術分野】
【０００１】
本発明は、鼻及び口を含む着用者の顔面の対象部位を覆うマスクに関する。
【背景技術】
【０００２】
近年、花粉、風邪やインフルエンザ等のウイルス、埃、粉塵、黄砂等に対する予防として、使い捨てのマスクの需要が高まっている。このようなマスクは、疾病時に限らず、日常生活において使用される。このため、着用感が良く、着用時においても会話の妨げにならず、化粧が付着せず、眼鏡が曇らない等、着用者の日常生活に支障をきたさないことが要望されている。
【０００３】
この中でも特に、着用者が女性である場合には、ファンデーションや口紅等の化粧がマスクの内側面（顔面に接触する内側の面）に付着しにくいことが強く要望されている。そこで、化粧の付着防止対策がなされたマスクが提唱されている（例えば、特許文献１及び特許文献２参照）。
【０００４】
特許文献１に記載のマスクは、内側面が撥水・撥油加工剤により撥水・撥油加工処理されている。これにより、水分や油分を多く含む化粧がマスクの内側面に付着することを防止している。
特許文献２に記載のマスクは、内側面が表面エネルギー低下剤で処理されている。そして、表面エネルギー低下剤として、撥水性・撥油性を有するフルオロケミカル類を用いることが例示されている。
【先行技術文献】
【特許文献】
【０００５】
【特許文献１】特開２００９−１１８９６０号公報
【特許文献２】特表２００１−５０１８４２号公報（第７−９頁）
【発明の概要】
【発明が解決しようとする課題】
【０００６】
上述した従来技術のマスクでは、内側面の撥水性・撥油性を高めることにより化粧の付着防止を図ることが可能である。しかしながら、撥水性が高まったことにより、口や鼻から吐き出される呼気に含まれる水蒸気によって内側面が濡れてべとつき、着用感が低下するおそれがあった。さらに、最近では新型インフルエンザの流行もあり、冬場から春先の使用に加えて夏場にもマスクを使用する機会が増えている。このような場合、呼気に含まれる水蒸気に加えて、着用者の汗によっても内側面がべとつき、さらなる着用感の低下を招くおそれがあった。
【０００７】
本発明の目的は、化粧の付着を防止しつつ、着用感を向上することができるマスクを提供することにある。
【課題を解決するための手段】
【０００８】
上記目的を達成するために、第１発明のマスクは、着用者の顔面の対象部位を覆うマスク本体部と、このマスク本体部を前記着用者の耳に係止するための左右一対の耳掛け部と、を備えるマスクであって、前記マスク本体部は、前記着用者の顔面に接触する層である内側層を含む複数層構造を有しており、前記内側層は、前記着用者の顔面に接触する側の表面が撥水・撥油加工剤により撥水・撥油処理された、ＪＩＳ  Ｚ  ０２０８試験法に基づく透湿度が３５００ｇ／ｍ２／２４ｈｒ以上である透湿性素材で構成されていることを特徴とする。
【０００９】
本願第１発明のマスクは、マスク本体部と耳掛け部とを備えており、マスク本体部は着用者の顔面に接触する層である内側層を含む複数層構造となっている。そして、当該内側層を、着用者の顔面に接触する側の表面（以下「内側面」と称する）が撥水・撥油加工剤により撥水・撥油処理されると共に、ＪＩＳ  Ｚ  ０２０８試験法に基づく透湿度を３５００ｇ／ｍ２／２４ｈｒ以上とした透湿性素材によって構成する。
【００１０】
これにより、内側面の撥水性・撥油性を高めることができるので、水分及び油分を有する化粧の内側面への付着を防止することができる。また、内側層の通気性を高めることができるので、呼気に含まれる水蒸気や汗を透過させ、内側面の濡れやべとつきを防止することができる。したがって、化粧の付着を防止しつつ、着用感を向上することができる。
【００１１】
第２発明のマスクは、上記第１発明において、前記マスク本体部は、前記内側層の前記着用者側とは反対となる側に、吸湿性素材を２０重量％以上含有する吸湿層を有していることを特徴とする。
【００１２】
本願第２発明においては、マスク本体部が、内側層の着用者とは反対となる側に、吸湿性素材を２０重量％以上含有する吸湿層を有している。これにより、呼気に含まれる水蒸気や汗が内側層を透過するのを促進し、内側層を透過した水蒸気や汗を吸湿層で速やかに吸収することができる。したがって、内側面の濡れやべとつきを確実に防止し、着用感をさらに向上することができる。
また、吸湿層が、吸湿性素材を２０重量％以上含有する構成とすることにより、吸湿効果を確実に得ることができる。
【００１３】
第３発明のマスクは、上記第１又は第２発明において、前記マスク本体部は、前記着用者側とは反対となる最も外側に位置する層である外側層を有しており、前記外側層は、ＪＩＳ  Ｚ  ０２０８試験法に基づく透湿度が３５００ｇ／ｍ２／２４ｈｒ以上である透湿性素材で構成されていることを特徴とする。
【００１４】
本願第３発明においては、マスク本体部が、着用者側とは反対となる最も外側に位置する層である外側層を有しており、当該外側層を、ＪＩＳ  Ｚ  ０２０８試験法に基づく透湿度を３５００ｇ／ｍ２／２４ｈｒ以上とした透湿性素材によって構成する。これにより、外側層の通気性を高めることができるので、内側層を透過した水蒸気や汗を、さらに外側層を透過させてマスク本体部の外部に排出することができる。また、内側層と外側層との間に吸湿層を設けた場合には、吸湿層で吸収した水蒸気や汗を、外側層を透過させてマスク本体部の外部に排出することができる。このようにして、水蒸気や汗をマスク本体部の内部に留めることなく外部に排出できるので、着用感をより一層向上することができる。
【００１５】
第４発明のマスクは、上記第２又は第３発明において、前記マスク本体部は、前記吸湿層の前記着用者側とは反対となる側に、フィルタ機能を有するフィルタ層を有していることを特徴とする。
【００１６】
本願第４発明においては、マスク本体部が、吸湿層の着用者側とは反対となる側に、フィルタ機能を有するフィルタ層を有している。このフィルタ層のフィルタ機能により、花粉、風邪やインフルエンザ等のウイルス、埃、粉塵、黄砂等の予防効果を高めることができる。また、目の細かいフィルタ層を吸湿層の着用者側とは反対となる側に設けることにより、吸湿層による内側層を透過した水蒸気や汗の吸収を妨げることなく、上記フィルタ機能を得ることができる。
【発明の効果】
【００１７】
本発明によれば、化粧の付着を防止しつつ、着用感を向上することができる。
【図面の簡単な説明】
【００１８】
【図１】実施形態に係るマスクの正面図である。
【図２】図１のＩＩ−ＩＩ断面図である。
【図３】図２に示すマスク本体部の側断面の一部を拡大した部分断面図である。
【図４】マスクのプリーツを展開した状態を表す斜視図である。
【図５】マスクの着用状態を一部透視して表す側面図である。
【図６】立体成形型のマスクの斜視図である。
【図７】立体成形型のマスクの着用状態を一部透視して表す側面図である。
【図８】フィルタ層を設けた変形例のマスク本体部の側断面の一部を拡大した部分断面図である。
【発明を実施するための形態】
【００１９】
以下、本発明の一実施の形態を図面を参照しつつ説明する。
図１はマスク１の正面図であり、図２は図１のＩＩ−ＩＩ断面図である。また図３は、図２に示すマスク本体部２の側断面の一部を拡大した部分断面図である。また図４はマスク１のプリーツ４を展開した状態を表す斜視図であり、図５はマスク１の着用状態を一部透視して表す側面図である。なお、以下の説明において、上下及び左右という場合は着用時におけるマスク１の上下方向及び左右方向を指すものであり、それぞれ図１中における上下方向及び左右方向に相当するものである。
【００２０】
図１に示すように、マスク１は、着用者の顔面の対象部位を覆うマスク本体部２と、このマスク本体部２を着用者の耳に係止するための左右一対の耳掛け部３とを有している。マスク１はいわゆるプリーツ型のマスクであり、図１及び図２に示すように、マスク本体部２には、上下方向に広がることが可能なプリーツ４ａ〜４ｄが、上下方向４箇所に並列して形成されている。図４及び図５に示すように、着用時にはこれらプリーツ４ａ〜４ｄが上下方向に広がることにより、マスク本体部２が鼻、口及び顎を含む着用者の顔面の対象部位を覆うようになっている。このとき、マスク本体部２は山型の立体的形状となり、図５に示すように、着用者の口元との間に空間Ｓ１が形成され、着用者が女性である場合に、口紅やファンデーション等の化粧がマスク本体部２に付着しにくいようになっている。
【００２１】
図３に示すように、マスク本体部２は、着用者の顔面に接触する層である内側層５、着用者側とは反対となる最も外側に位置する層である外側層６、及びこれら内側層５と外側層６との間に位置する吸湿層７からなる３層構造を有している。
内側層５は、着用者の顔面に接触する側の表面（以下「内側面」と称する）５ａが撥水・撥油加工剤により撥水・撥油処理された不織布であって、例えば素材を薄くする、あるいはメッシュ状とする等により、ＪＩＳ  Ｚ  ０２０８試験法に基づく透湿度を３５００ｇ／ｍ２／２４ｈｒ以上とした透湿性の不織布で構成されている。
【００２２】
撥水・撥油加工剤としては、人体に対して安全性の高い材料であれば周知のものを使用することができるが、皮膚に対し刺激が少ないものを使用することがより好ましい。具体的には、例えばフッ素系樹脂を含むフッ素系加工剤、シリコン系樹脂を含むシリコン系加工剤、パラフィン系加工剤、ワックス系加工剤等が挙げられる。この中でも、特にフッ素系加工剤を使用することが好ましい。フッ素系加工剤としては、例えばフッ素樹脂エマルション、フッ素樹脂水溶液等を使用することができる。なお、撥水・撥油加工剤としては、液状、粉末状等、種々の形態のものを使用することができる。
【００２３】
透湿性不織布の素材としては、例えばポリオレフィン、ポリエステル、ポリアミド等が挙げられる。ポリオレフィンとしては、例えばポリエチレン、ポリプロピレン、ポリブテン等を使用することができる。ポリエステルとしては、例えばポリエチレンテレフタレート、ポリブチレンテレフタレート等を使用することができる。
【００２４】
また透湿性不織布の種類としては、例えばエアスルー、スパンボンド、サーマルボンド、スパンレース、ポイントボンド、メルトブロー、ステッチボンド、ケミカルボンド、ニードルパンチ等の公知の製法による不織布を用いることができる。また、ＳＭＳやＳＭＭＳ等の積層型の不織布を用いてもよい。特に、通気性が良好なエアスルー不織布、強度が比較的大きいスパンボンド不織布、肌触りが良いスパンレース不織布等を使用するのが好ましい。
【００２５】
なお、内側層５のＪＩＳ  Ｚ  ０２０８試験法に基づく透湿度は、上述したように少なくとも３５００ｇ／ｍ２／２４ｈｒ以上であることが必要であるが、好ましくは４０００ｇ／ｍ２／２４ｈｒ以上、より好ましくは５０００〜７０００ｇ／ｍ２／２４ｈｒである。
【００２６】
吸湿層７は、内側層５と外側層６との間、すなわち内側層５の着用者側とは反対となる側に設けられている。この吸湿層７は、吸湿性不織布等の吸湿性素材を２０重量％以上含有するように構成されている。
吸湿性素材としては、例えば再生セルロース繊維、あるいは、カルボキシル化セルロース、アクリル酸誘導体ポリマー、ポリアクリロニトリル誘導体ポリマー、Ｎ−ビニルアセトアミドを主モノマーとするアルコール性ポリマー等の高吸水性ポリマーからなる繊維の他、ウール、カシミア等の毛、絹、キュプラ、レーヨン、綿、麻、アセテート等から構成される、織物、編物、不織布等が挙げられる。
【００２７】
上記再生セルロース繊維とは、植物のセルロースを化学的に取り出し繊維に再生したものであり、例えばキュプラ、ビスコースレーヨン、ポリノジックレーヨン、及びライオセル等のうちの一種又は二種以上を混合した繊維である。吸湿層７は、これらの繊維をウェブ化し、スパンレース、スパンボンド法等の公知の製法によって製造される。
【００２８】
なお、吸湿性素材の重量比が２０重量％未満の場合には吸湿効果が得られにくいため、上述したように吸湿層７は吸湿性素材を少なくとも２０重量％以上含有することが必要であるが、好ましくは４０重量％以上、より好ましくは６０重量％以上である。
【００２９】
また、吸湿層７に、香料や、抗菌・抗ウィルス効果を有する薬剤等を含浸させてもよい。抗菌・抗ウィルス効果を有する薬剤としては、例えばローズバッツが挙げられる。また香料としては、例えばメントール、カルボン、シネオール、リモネン、ピネン、カンファー、リナロール、ターピネオール、ペパーミント、スペアミント、ローズマリー、ラベンダー、ティートゥリー、カモミル、ユーカリ、オレンジ、レモン、ネロリ、ベルガモット、プチグレン等が挙げられる。これらの香料や薬剤を含浸させる範囲は特に限定されないが、上部に含浸させた場合には着用時に薬剤が目にしみる等の不都合が生じるおそれがあるため、マスク本体部２の上下方向中央部より下の範囲において含浸させるのが好ましい。
【００３０】
外側層６は、上述の内側層５と同様に、例えば素材を薄くする、あるいはメッシュ状とする等により、ＪＩＳ  Ｚ  ０２０８試験法に基づく透湿度が３５００ｇ／ｍ２／２４ｈｒ以上である透湿性の不織布で構成されている。この透湿性不織布として用いられる素材や不織布の種類は、上述した内側層５と同様である。
【００３１】
図１に戻り、マスク本体部２の上下方向両側には、上記内側層５、外側層６、及び吸湿層７が熱融着等により接合された接合部８，９がそれぞれ二重となるように直線状に形成されている。上端側に形成された接合部８は、上側の接合部８ａと下側の接合部８ｂとからなり、これらの接合部８ａ,８ｂ間には鼻元バー１０が内包されている。この鼻元バー１０は、金属又はポリエチレン等の可撓性材料で構成されており、着用時に着用者の鼻元の形状に沿うように変形させることで、マスク本体部２の上側部分と鼻との間に形成される隙間を抑制することができる。これにより、着用感を向上し、着用者が眼鏡をかけている場合には眼鏡の曇りを抑制することができる。
【００３２】
またマスク本体部２の左右方向両側には、上記と同様に内側層５、外側層６、及び吸湿層７が熱融着等により接合された接合部２０がそれぞれ二重となるように直線状に形成されている。この接合部２０は、マスク本体部２の左右方向両側においてプリーツ４ａ〜４ｄの広がりを押さえるために設けられる。
【００３３】
また図１、図４及び図５に示すように、耳掛け部３は、その端部３ａがマスク本体部２の表側（着用者側とは反対となる側）に対し熱融着等により接合されることにより、マスク本体部２に取り付けられている。なお、耳掛け部３の端部３ａを、マスク本体部２の裏側（着用者側）に接合したり、上述した各層５，６，７間で挟持することにより取り付けてもよいが、本実施形態のように表側に取り付けることで、着用時に耳掛け部３の端部３ａによってマスク本体部２の縁部を着用者の頬に効果的に押し付けることができ、マスク本体部２の左右両側部分の隙間を抑制することができる。
【００３４】
次に、以上のように構成されたマスク１により得られる効果を説明する。
上述したように、マスク１は、マスク本体部２と耳掛け部３とを備えており、マスク本体部２は着用者の顔面に接触する層である内側層５を含む３層構造となっている。そして、内側層５を、内側面５ａが撥水・撥油加工剤により撥水・撥油処理された不織布であって、ＪＩＳ  Ｚ  ０２０８試験法に基づく透湿度を３５００ｇ／ｍ２／２４ｈｒ以上とした透湿性不織布によって構成する。これにより、内側面５ａの撥水性・撥油性を高めることができるので、一般に水分及び油分を多く有するファンデーションや口紅等の化粧が内側面５ａへ付着することを防止できる。また、内側層５の通気性を高めることができるので、着用者の呼気に含まれる水蒸気や汗を透過させ、内側面５ａの濡れやべとつきを防止することができる。したがって、化粧の付着を防止しつつ、着用感を向上することができる。
【００３５】
また、本実施形態では特に、マスク本体部２が、内側層５の着用者とは反対となる側に、吸湿性素材を２０重量％以上含有する吸湿層７を有する構成とする。これにより、着用者の呼気に含まれる水蒸気や汗が内側層５を透過するのを促進し、内側層５を透過した水蒸気や汗を吸湿層７で速やかに吸収することができる。したがって、内側面５ａの濡れやべとつきを確実に防止し、着用感をさらに向上することができる。また、吸湿層７が吸湿性素材を２０重量％以上含有する構成とすることにより、吸湿効果を確実に得ることができる。
【００３６】
また、本実施形態では特に、マスク本体部２が、着用者側とは反対となる最も外側に位置する層である外側層６を有しており、当該外側層６を、ＪＩＳ  Ｚ  ０２０８試験法に基づく透湿度を３５００ｇ／ｍ２／２４ｈｒ以上とした透湿性不織布によって構成する。これにより、外側層６の通気性を高めることができるので、内側層５を透過し吸湿層７で吸収した水蒸気や汗を、さらに外側層６を透過させてマスク本体部２の外部に排出することができる。このようにして、水蒸気や汗をマスク本体部２の内部に留めることなくマスク本体部２の外部に排出できるので、着用感をより一層向上することができる。
【００３７】
なお、本発明は、上記実施形態に限るものではなく、その趣旨及び技術的思想を逸脱しない範囲内で種々の変形が可能である。以下、そのような変形例を順を追って説明する。
（１）立体成形型マスクに適用した場合
上述した実施形態では、本発明をプリーツ型のマスクに適用した場合を一例として説明したが、いわゆる立体成形型のマスクに適用してもよい。
図６はこの立体成形型のマスク３０の斜視図であり、図７はマスク３０の着用状態を一部透視して表す側面図である。
【００３８】
マスク３０は、着用者の顔面の対象部位を覆うマスク本体部３１と、このマスク本体部３１を着用者の耳に係止するための左右一対の耳掛け部３２とを有している。マスク本体部３１は、左右一対の略扇形のシート材３４Ａ，３４Ｂを接合部３３で接合することにより形成されている。接合部３３は、マスク前面側に膨らんだ円弧状に形成されており、シート材３４Ａ，３４Ｂを左右に開くことによって、マスク本体部３１が立体的形状となるように構成されている。これにより、図７に示すように、着用者の口元との間に空間Ｓ２が形成され、着用者が女性である場合に、口紅やファンデーション等の化粧がマスク本体部３１に付着しにくいようになっている。
【００３９】
このようなマスク３０においても、上述した実施形態と同様に、マスク本体部３１を内側層５、外側層６、及び吸湿層７からなる３層構造とし、内側層５を、内側面５ａが撥水・撥油加工剤により撥水・撥油処理された不織布であって、ＪＩＳ  Ｚ  ０２０８試験法に基づく透湿度を３５００ｇ／ｍ２／２４ｈｒ以上とした透湿性の不織布で構成すると共に、吸湿層７を吸湿性素材を２０重量％以上含有するように構成し、外側層６を、ＪＩＳ  Ｚ  ０２０８試験法に基づく透湿度が３５００ｇ／ｍ２／２４ｈｒ以上である透湿性の不織布で構成することにより、上記実施形態と同様の効果を得ることができる。
【００４０】
なお、本発明は平面状のマスクにも適用することが可能であるが、上述したようにプリーツ型マスクや立体成形型マスクでは着用者の口元との間に空間を確保することができるので、化粧の付着の防止を図る上では、プリーツ型マスクや立体成形型マスクに適用するのが効果的である。
【００４１】
（２）フィルタ層を設ける場合
内側層５と外側層６との間に、フィルタ層を設ける構成としてもよい。図８は、本変形例のマスク本体部２′の側断面の一部を拡大した部分断面図である。
図８に示すように、マスク本体部２′は、吸湿層７の着用者とは反対となる側に、フィルタ機能を有するフィルタ層２１を有している。すなわち、マスク本体部２′は、着用者側より外側に向かって、内側層５、吸湿層７、フィルタ層２１、及び外側層６からなる４層構造となっている。フィルタ層２１としては、例えばメルトブロー不織布、ＳＭＳ不織布、ＳＭＭＳ不織布等を用いることができるが、特にＳＭＳ不織布、ＳＭＭＳ不織布を用いるのが好ましい。メルトブロー不織布は強度が弱いためにラインスピードを速くできず、製造効率が低下するが、ＳＭＳ不織布、ＳＭＭＳ不織布は強度が大きいためにラインスピードを速くでき、製造効率が良いからである。
【００４２】
本変形例によれば、フィルタ層２１のフィルタ機能により、花粉、風邪やインフルエンザ等のウイルス、埃、粉塵、黄砂等の予防効果を高めることができる。また、目の細かいフィルタ層２１を吸湿層７の着用者側とは反対となる側に設けることにより、吸湿層７による内側層５を透過した水蒸気や汗の吸収を妨げることなく、上記フィルタ機能を得ることができる。
【００４３】
（３）その他
上記実施形態では、マスク本体部３１を３層構造としたが、３層以外の複数層構造としてもよい。また、少なくとも着用者の顔面に接触する層である内側層５について、撥水・撥油処理されると共に透湿度を３５００ｇ／ｍ２／２４ｈｒ以上とした透湿性の不織布で構成すれば、その他の層については、必ずしも上述の実施形態のように吸湿性や透湿性を有する層構成としなくともよい。
【００４４】
また、上記実施形態ではプリーツの数が４本であるプリーツ型マスクを例示したが、プリーツの数はこれ以外でもよい。また、プリーツの形態は図２に示すようなマスク本体部２の上下方向中央側が頂点となるものに限らず、マスク本体部２の上側又は下側が頂点となるような形態でもよい。
【００４５】
また、上記実施形態では鼻元バー１０を設けるようにしたが、さらに口元バーを設けてもよい。この口元バーは、鼻元バー１０と同様に金属又はポリエチレン等の可撓性材料で構成されており、着用者の口元との間に空間を確保し、マスク本体部２との接触を抑制するために設けられる。これにより、化粧の付着防止効果をさらに高めることができる。口元バーは、例えばマスク本体部２の上下方向中央側のプリーツ４ｂ，４ｃ間に設けられる。
【００４６】
また、上記実施形態では、接合部８，９，２０を熱融着により形成するようにしたが、これに限らず、例えば縫合によって接合部を形成してもよい。この場合、マスク本体部２を構成する各層５，６，７を、熱可塑性のある材料以外で構成することができる。
また、以上既に述べた以外にも、上記実施形態や各変形例による手法を適宜組み合わせて利用しても良い。
その他、一々例示はしないが、本発明は、その趣旨を逸脱しない範囲内において、種々の変更が加えられて実施されるものである。
【符号の説明】
【００４７】
１            マスク
２            マスク本体部
２′          マスク本体部
３            耳掛け部
５            内側層
５ａ          内側面（表面）
６            外側層
７            吸湿層
２１          フィルタ層
３０          マスク
３１          マスク本体部
３２          耳掛け部
【図１】
2011072479.tif 000003
【図２】
2011072479.tif 000004
【図３】
2011072479.tif 000005
【図４】
2011072479.tif 000006
【図５】
2011072479.tif 000007
【図６】
2011072479.tif 000008
【図７】
2011072479.tif 000009
【図８】
2011072479.tif 000010